(57)【特許請求の範囲】
【請求項１】
防曇ガラスの加熱線条や、ガラスアンテナの給電端子等として使用する導電端子をガラス板の周辺部の所定位置に半田付けする時の仮固定用クリップであって、該導電端子はガラス面上に載置した時にガラス面から離隔した中央部、該中央部の両端にガラス面と半田接着させる接着面とを有する台座部と、該中央部近傍より立ち上げた立上り部を有するものであり、該クリップは上部側の押さえプレートを前記台座の中央部の幅と同幅あるいは該幅より小幅とし、下部側の押さえプレートの凹字状の開口幅を大とした上下一対の押さえプレートと、該一対の押さえプレートを開閉させるバネとからなり、上部側の押さえプレートの先端で台座の中央部をガラス面に押圧させて導電端子を仮固定させるようにしたことを特徴とする導電端子固定用クリップ。
【請求項２】
前記台座の中央部とその中心より立設した立上り部を併せた形状を断面逆Ｙ字状または断面逆Ｔ字状とし、前記上部側の押さえプレートの先端を狭小なスリット状として、該スリット状部内に前記導電端子の立上り部を遊嵌させ、前記バネの復元力によって台座の中央部をガラス面に押圧させて導電端子を仮固定させるようにしたことを特徴とする請求項１記載の導電端子固定用クリップ。
【請求項３】
下部側の押さえプレートの先端に向かうに従ってガラス板の端縁部から離れる方向に折り曲げる、あるいは湾曲させてガラス板の端縁部を迂回させ、押さえプレートの先端部近傍でガラス板面に再接近するようにして、ガラス板面と面で当接するように折り曲げ、あるいは湾曲させた折返し部を設けたことを特徴とする請求項１あるいは２のいずれか記載の導電端子固定用クリップ。
【請求項４】
上部側の押さえプレートの先端に向かうに従ってガラス板面から離れる方向に折り曲げる、あるいは湾曲させてガラス板の端縁部を迂回させ、押さえプレートの先端部近傍で導電端子の立上り部又は導電端子の中央部の立上り部に再接近するように折り曲げあるいは湾曲させて、該中央部を押圧できるようにしたことを特徴とする請求項１乃至３のいずれか記載の導電端子固定用クリップ。
【請求項５】
前記上部側の押さえプレートの先端部を略Ｌ字状とし、導電端子の長手方向をガラス板上の近傍辺と直交する方向に載置した導電端子の前記中央部を押圧できるようにしたことを特徴とする請求項１乃至４のいずれか記載の導電端子固定用クリップ。
【発明の詳細な説明】
【０００１】
【発明の属する技術分野】
本発明は、防曇ガラスや、ガラスアンテナの給電端子の半田付け時に、端子をガラス面の所定位置に仮固定する為のクリップであって、特に周辺部が深曲げのガラス板や、枠体付きガラスの場合にも有用なクリップに関する。
【０００２】
【従来の技術】
車両用の窓ガラスには、複数本の加熱線条に通電加熱させてガラス面に付着した水分や湿気による曇りを除去させる防曇ガラス、あるいは、ＡＭ／ＦＭラジオ放送波からＴＶ放送波受信等の各種の電波を受信するアンテナパターンをガラス板面に配設したガラスアンテナ、さらには融氷ガラスやワイパーの凍結防止用のデアイサー等の機能を持たせた窓ガラスがある。
【０００３】
これら防曇ガラスやガラスアンテナ等の給電点に金属製の導電端子を半田付けさせる時には、導電端子の台座の半田面またはガラス面の給電点上に予め半田を接着させ、図１０に示すようなクリップ５’によって導電端子をガラス板の給電点上に仮固定させた後、該導電端子に熱風を吹き付けたり、半田コテによって加熱して端子に付着させた半田を溶かし、ガラス板面と導電端子とを半田接着させていた。
【０００４】
前記導電端子は、各種の形状のものが使用されているが、例えば図２（ｃ）、（ｄ）に示される導電端子１０はガラス面に半田接着させる台座部１１と、該台座部１１の側部より立ち上げた立上り部１２からなる。さらに詳述すると、前記導電端子１０をガラス面上に載置した状態で、台座部１１の中央部１１ｂをガラス面から浮き上がるようにして離隔し、中央部１１ｂの両端側をガラス面に半田接着させる接着部１１ａ、１１ａとしたものであり、立上り部１２は中央部１１ｂの側部より垂直上方に立ち上げたものである。
【０００５】
また、例えば図２（ａ）、（ｂ）に示される導電端子１０は、前記台座１１の両端側をガラス面と半田接着させる接着部１１ａ、１１ａとし、中央部１１ｂをガラス面から浮き上がるようにして離隔させ、中央部１１ｂの中心より立上り部１２を立設し、前記中央部１１ｂと立上り部１２を併せた形状を断面逆Ｙ字状または断面逆Ｔ字状とした導電端子１０としたものである。
【０００６】
【発明が解決しようとする課題】
ところで、ガラス板の周縁部近傍の所定位置に、図２に示したような前記導電端子１０を半田接着させる場合に、図１０に示したような従来のクリップ５’においては、図１１（ａ）、（ｂ）に示されるように、導電端子１０を押圧する側である上部側の押さえプレート６’の先端で導電端子１０の台座１１の両端側である半田付け接着面１１ａ、１１ａの上部を押さえているので、熱風を導電端子１０に吹き付けたり、半田コテで加熱したりした場合にクリップ５’の上部側の押さえプレート６’によって熱風を遮ったり、熱を吸収したりしてしまい、熱効率が低下するという問題点があった。
【０００７】
また、図１２（ｂ）に示されるように、湾曲したガラス板で、特に周端縁部の曲面半径（通称曲げアールともいう）が小さな湾曲ガラス板の周縁部近傍の所定位置に導電端子を半田接着させる場合には、ガラス板上の周端縁部上に導電端子１０を従来のクリップ５’により挟持させて仮止めしようとすると、ガラス板が湾曲しているので導電端子１０への押さえが不安定になり、半田付け時に導電端子１０がぐらつき易く接着位置が定まりにくくなり、半田付け接着不良の原因となりやすいという問題点があった。
【０００８】
さらには、ガラス板の周囲に樹脂等からなる枠体を押し出し成型等による一体成型によってエンキャップした枠体付きガラスの周縁部近傍の所定位置に導電端子１０を半田接着させようとする場合、ガラス板の端部上に載置した導電端子１０をガラス板と共に図１２（ａ）に示すような従来のクリップ５’で挟もうとすると、クリップ５’の上部側の押さえプレート６’や下部側の押さえプレート７’が、エンキャップした枠体部分２に当接するので、クリップ５’によって導電端子１０を安定して挟持固定することが出来ない。
【０００９】
【課題を解決するための手段】
本発明はこのような問題点に鑑みてなされたものであり、ガラス板の周縁部近傍の所定位置に導電端子を半田接着させる場合に、熱風を導電端子に吹き付ける場合でも熱効率が良く、また、周端縁部の曲げアールが小さな湾曲ガラス板に導電端子を接着する場合でも安定した半田接着を可能とし、さらに、枠体付きガラスの周縁部近傍の所定位置に導電端子を半田接着させようとする場合においても、クリップによって導電端子を挟持固定出来ることを目的とする。
【００１０】
すなわち、本発明は、防曇ガラスの加熱線条や、ガラスアンテナの給電端子等として使用する導電端子をガラス板の周辺部の所定位置に半田付けする時の仮固定用クリップであって、該導電端子はガラス面上に載置した時にガラス面から離隔した中央部、該中央部の両端にガラス面と半田接着させる接着面とを有する台座部と、該中央部近傍より立ち上げた立上り部を有するものであり、該クリップは上部側の押さえプレートを前記台座の中央部の幅と同幅あるいは該幅より小幅とし、下部側の押さえプレートの凹字状の開口幅を大とした上下一対の押さえプレートと、該一対の押さえプレートを開閉させるバネとからなり、上部側の押さえプレートの先端で台座の中央部をガラス面に押圧させて導電端子を仮固定させるようにしたことを特徴とする導電端子固定用クリップである。
【００１１】
あるいは、本発明は、前記台座の中央部とその中心より立設した立上り部を併せた形状を断面逆Ｙ字状または断面逆Ｔ字状とし、前記上部側の押さえプレートの先端を狭小なスリット状として、該スリット状部内に前記導電端子の立上り部を遊嵌させ、前記バネの復元力によって台座の中央部をガラス面に押圧させて導電端子を仮固定させるようにしたことを特徴とする上述の導電端子固定用クリップである。
【００１２】
あるいは、本発明は、下部側の押さえプレートの先端に向かうに従ってガラス板面から離れる方向に折り曲げあるいは湾曲させてガラス板の端縁部を迂回させ、押さえプレートの先端部近傍でガラス板面に再接近するようにして、ガラス板面と面で当接するように折り曲げ、あるいは湾曲させた折返し部を設けたことを特徴とする上述の導電端子固定用クリップである。
【００１３】
あるいはまた、本発明は、上部側の押さえプレートを先端に向かうに従ってガラス板面から離れる方向に折り曲げあるいは湾曲させ、押さえプレートの先端部近傍で導電端子の立上り部又は導電端子の中央部の立上り部に近接するように折り曲げあるいは湾曲させて、該部を押圧できるようにしたことを特徴とする上述の導電端子固定用クリップである。
【００１４】
あるいはまた、本発明は、前記上部側の押さえプレートの先端部を略Ｌ字状とし、導電端子の長手方向をガラス板上の近傍辺と直交する方向に載置した導電端子の前記中央部を押圧できるようにしたことを特徴とする上述の導電端子固定用クリップである。
【００１５】
【発明の実施の形態】
以下、図面を参照しながら本発明を詳細に説明する。
【００１６】
図１は、ガラス板の周辺部の所定位置に、図２に示すような導電端子を仮固定するための本発明のクリップの一例を示す斜視図である。
【００１７】
本発明のクリップ５は、開閉自在な上下一対の押さえプレート６、７と、該一対の押さえプレート６、７を閉とさせるバネ８とからなり、上部側の押さえプレート６を導電端子１０の台座１１の中央部１１ｂの幅と同幅あるいは該幅より小幅とし、下部側の押さえプレート７を開口幅を幅広とした凹字状とした。
【００１８】
前記下部側の押さえプレート７を２本の爪部として、それらの開口幅を幅広とした形状としても良い。
【００１９】
また、本発明のクリップ５で、前記導電端子１０の中央部１１ｂの中心より立設した立上り部１２を有するような導電端子１０を固定させようとする場合には、前記上部側の押さえプレート６の先端に狭小なスリット状部６ａ（あるいは凹状部）を設け、該スリット状部は導電端子１０の立ち上がり部１２の厚み程度で、該立ち上がり部１２を遊嵌できる幅とすることが必要である。
【００２０】
さらに、本発明のクリップ５で、枠体付きガラス１や湾曲したガラス板１の周縁部近傍の所定位置に導電端子１０を半田接着させようとする場合には、下部側の押さえプレート７の先端に向かうに従ってガラス板１面から離れる方向に折り曲げあるいは湾曲させてガラス板１の端縁部を迂回させ、下部側の押さえプレート７の先端部近傍でガラス板１面に再接近するようにして、ガラス板１面と面で当接するように折り曲げ、あるいは湾曲させた折返し部７ａを設けた。
【００２１】
また、上部側の押さえプレート６の先端に向かうに従ってガラス板１面から離れる方向に折り曲げあるいは湾曲させてガラス板１の端縁部を迂回させ、上部側の押さえプレート６の先端部近傍で導電端子１０の立上り部１２又は導電端子１０の中央部１１ｂに再接近するように折り曲げ、あるいは湾曲させて、該中央部１１ｂを押圧できるようにした。
【００２２】
さらにまた、上部側の押さえプレート６の先端部を略Ｌ字形状とすることも可能である。この場合、導電端子をガラス板上に載置する方向が、導電端子の長手方向がガラス板のエッジに直交する方向である場合、導電端子の中央部を上部側の押さえプレート６の先端部によって押圧できるようにした。
【００２３】
次に、本発明のクリップ５の作用について説明する。
【００２４】
本発明のクリップ５の上部側の押さえプレート６を前記台座１１の中央部１１ｂの幅と同幅あるいは該幅より小幅とし、上部側の押さえプレート６で台座１１の中央部１１ｂを押圧させることにより、熱風を導電端子１０に吹き付けて接着部１１ａとガラス板１の面とを半田接着させるときに、上部側押さえプレート６が接着部１１ａ、１１ａに吹き付ける熱風を遮ることがないので、熱風による半田接着時の熱効率が良く短時間で半田接着が可能となる。
【００２５】
また、半田コテを使って導電端子を加熱する場合においても、上部側押さえプレート６が接着部１１ａ、１１ａに直接当接していないので、半田コテによる熱が上部押さえプレートによる熱吸収が少なくなって、半田接着時の熱効率が良く短時間で半田接着が可能となる。
【００２６】
また、下部側の押さえプレート７の凹字状の開口幅を大とすることによって、上部側で１点、下部側で２点の合計３点でガラス板と導電端子を支持することになり、導電端子を安定して支持することができる。
【００２７】
前記クリップ５の一対の押さえプレート６、７は、手操作によって容易に開くことができ、バネの復元力によって前記一対の押さえプレートを常時閉じるように取り付けられている。
実施例１
図２（ａ）に示すように、台座１１の中央部１１ｂとその中心より立設した立上り部１２を併せた形状が断面逆Ｙ字状とした導電端子１０をガラス板面に仮固定する場合について説明する。
【００２８】
図３（ａ）、（ｂ）のように、前記クリップ５の上部側の押さえプレート６の先端を狭小なスリット状部６ａとして、該スリット状部６ａ内に前記導電端子１０の立上り部１２を遊嵌させているが、前記バネ８の復元力によって上部側の押さえプレート６を閉じるようにすると、前記逆Ｙ字状の山形状の中央部１１ｂがガラス板１に近づくに従って広がっているため、スリット状部６ａと山形状の中央部１１ｂとは押圧によってスリット状部６ａの隙間もなくなり、緩みのない押圧状態となる。
【００２９】
また、熱風を導電端子１０に吹き付けて接着部１１ａとガラス板１の面とを半田接着させるときに、上部側押さえプレート６が接着部１１ａ、１１ａに吹き付ける熱風を遮ることがないので、熱風による半田接着時の熱効率が良く短時間で半田接着が可能となる。
実施例２
図２（ｂ）のように、導電端子の形状を台座１１の中央部１１ｂとその中心より立設した立上り部１２を併せた形状が断面逆Ｔ字状とした導電端子１０をガラス板面に仮固定する場合について説明する。
【００３０】
実施例１の図４（ａ）、（ｂ）と同様に、前記クリップ５の上部側の押さえプレート６の先端を狭小なスリット状部６ａとして、該スリット状部６ａ内に前記導電端子１０の立上り部１２を遊嵌させているが、前記バネ８の復元力によって上部側の押さえプレート６を閉じるようにすると、前記逆Ｔ字状のフラットな中央部１１ｂを押圧することになり、立ち上がり部１２がスリット状部６ａ内に遊嵌しているため、左右のバランスが保たれた押圧状態となる。
【００３１】
また、熱風を導電端子１０に吹き付けて接着部１１ａとガラス板１の面とを半田接着させるときに、上部側押さえプレート６が接着部１１ａ、１１ａに吹き付ける熱風を遮ることがないので、熱風による半田接着時の熱効率が良く短時間で半田接着が可能となる。
実施例３
図２（ｃ）、（ｄ）のように、導電端子１０の台座１１の形状を中央部１１ｂとその両側に接着部１１ａ、１１ａとし、立上り部１２を台座１１の側部より立ち上げるようにした導電端子１０をガラス板面に仮固定する場合について説明する。
【００３２】
図４（ａ）、（ｂ）、及び図５（ａ）、（ｂ）に示すように、本発明のクリップ５の上部側の押さえプレート６を前記台座１１の中央部１１ｂの幅と同幅あるいは該幅よりやや小幅とし、上部側の押さえプレート６で台座１１の中央部１１ｂを押圧させることにより、熱風を導電端子１０全体に吹き付け接着部１１ａとガラス板１の面とを加熱させて半田接着させるときに、上部側押さえプレート６が接着部１１ａ、１１ａに吹き付ける熱風を遮ることがないので、熱風による半田接着時の熱効率が良く短時間で半田接着が可能となる。
実施例４
ガラス板の周囲に樹脂等からなる枠体を押し出し成型等による一体成型によってエンキャップした枠体付きガラスの周縁部近傍の所定位置に導電端子を半田接着させようとする場合について説明する。
【００３３】
図６（ａ）に示すように、下部側の押さえプレート７をその先端に向かうに従ってガラス板１の端縁部１ａに設けた枠体２から離れる方向に折り曲げる、あるいは湾曲させてガラス板の端縁部１ａに設けた枠体２を迂回させ、下部側の押さえプレート７の途中より先端部近傍にかけてガラス板１に再接近するようにして、ガラス板１と面で当接する先端部７ｂを設けた。
【００３４】
また、上部側の押さえプレート６をその先端に向かうに従ってガラス板１の端縁部１ａに設けた枠体２から離れる方向に折り曲げる、あるいは湾曲させてガラス板１の端縁部１ａに設けた枠体２を迂回させ、上部側の押さえプレート６の先端部近傍で導電端子の立上り部又は導電端子の中央部の立上り部に再接近するように折り曲げた先端部を設け、あるいは湾曲させて、該中央部を押圧できるようにした。
【００３５】
このように、該折返し部を設けることによって、クリップの下部側の押さえプレートが、枠体付きガラスの周縁部に設けた枠体を迂回するようにして導電端子を所定の位置に半田接着させることができる。
実施例５
図６（ｂ）に示すように、枠体付きガラスの周縁部近傍の所定位置に導電端子を半田接着させる場合、下部側の押さえプレート７の先端部を折返し部７ａとしても良い。
【００３６】
該折返し部を設けることによって、クリップ５の下部側の押さえプレートが、枠体付きガラスの周縁部に設けた枠体を迂回するようにして導電端子を所定の位置に半田接着させることができる。
実施例６
また、図７に示されるように、湾曲したガラス板で、特に周端縁部の曲げアールが小さな湾曲ガラス板の周縁部近傍の所定位置に導電端子を半田接着させる場合について説明する。
【００３７】
図６（ｂ）に示す実施例５と同様であり、下部側の押さえプレート７をその先端に向かうに従ってガラス板１の端縁部１ａに設けた枠体２から離れる方向に折り曲げる、あるいは湾曲させてガラス板の端縁部１ａに設けた枠体２を迂回させ、下部側の押さえプレート７の途中より先端部近傍にかけてガラス板１に再接近するようにして、ガラス板１と面で当接するように先端部を折返し部７ａとした。
【００３８】
該折返し部を設けることによって、クリップの下部側の押さえプレートが、湾曲ガラスの曲面形状に合わせることができ、導電端子を所定の位置に半田接着させることができる。
実施例７
また、図８に示すように、クリップ５の上部側の押さえプレートの先端部を略Ｌ字状とした。
【００３９】
図２（ａ）に示す台座１１の中央部１１ｂとその中心より立設した立上り部１２を併せた形状が断面逆Ｙ字状とした導電端子１０を、導電端子の長手方向をガラス板上の近傍辺と直交する方向に載置固定する場合、図８に示したクリップ５を用いて、ガラス板面に仮固定する。
【００４０】
図９に示すように、前記クリップ５の上部側の押さえプレート６のＬ字状の先端に設けた狭小なスリット状部６ａに、前記導電端子１０の立上り部１２を遊嵌させ、上部側の押さえプレート６を閉じるようにする。
【００４１】
その他の場合は実施例１と同様であり、前記逆Ｙ字状の山形状の中央部１１ｂがガラス板１に近づくに従って広がっているため、スリット状部６ａと山形状の中央部１１ｂとは押圧によってスリット状部６ａの隙間もなくなり、緩みのない押圧状態となる。
【００４２】
また、熱風を導電端子１０に吹き付けて接着部１１ａとガラス板１の面とを半田接着させるときに、上部側押さえプレート６が接着部１１ａ、１１ａに吹き付ける熱風を遮ることがないので、熱風による半田接着時の熱効率が良く短時間で半田接着が可能となる。
【００４３】
以上種々の実施例について説明したが、目的、状況に応じて適宜使い分ければよい。
【００４４】
【発明の効果】
本発明の導電端子固定用クリップの上下一対の押さえプレートを、ガラス板の上面、及び下面の端部より離隔した形状とし、端子及びガラス板をクリップの両先端部のみで押圧させるようにしたので、深曲げガラスやエンキャップ付きガラスであっても、安定した固定となり、強固な半田付けが可能となり、また、上部側押さえプレートで、端子の台座の半田付け部からの立上り部又は中央部を固定するので、熱風半田付け時にクリップにより熱風が遮られることがなく、熱効率が向上するので短時間で半田付けができる。
【図面の簡単な説明】
【図１】本発明の導電端子固定用クリップの斜視図。
【図２】（ａ）〜（ｄ）は、それぞれ本発明で使用する導電端子の斜視図。
【図３】（ａ）、（ｂ）は、それぞれ本発明のクリップによる、図２（ａ）の導電端子のガラス板への押圧状況を示す斜視図と正断面図。
【図４】（ａ）、（ｂ）は、それぞれ本発明のクリップによる、図２（ｂ）の導電端子のガラス板への押圧状況を示す斜視図と正断面図。
【図５】（ａ）、（ｂ）は、それぞれ本発明のクリップによる、図２（ｃ）の導電端子のガラス板への押圧状況を示す斜視図と正断面図。
【図６】（ａ）、（ｂ）は、それぞれ本発明のクリップによる導電端子の枠体付きガラス板への固定状況を示す側断面図。
【図７】（ａ）、（ｂ）は、それぞれ本発明のクリップによる導電端子の湾曲ガラスへの固定状況を示す側断面図。
【図８】本発明の変形例の導電端子固定用クリップの斜視図。
【図９】本発明の変形例のクリップによる、図２（ａ）の導電端子のガラス板への押圧状況を示す斜視図。
【図１０】従来の導電端子固定用クリップの斜視図。
【図１１】（ａ）、（ｂ）は、それぞれ従来のクリップによる、図２（ａ）の導電端子のガラス板への押圧状況を示す斜視図と正断面図。
【図１２】（ａ）、（ｂ）は、それぞれ従来のクリップによる導電端子の湾曲ガラスへの固定状況を示す側断面図。
【符号の説明】
１          ガラス板
２          枠体（エンキャップ）
３          半田
５、５’    クリップ
６、６’    上部側押さえプレート
６ａ      スリット状部（凹状部）
７、７’    下部側押さえプレート
７ａ      折返部
８、８’    バネ
１０          導電端子
１１          台座
１１ａ      接着部
１１ｂ      中央部
１２          立上り部
【図１】
0003830744.tif 000002
【図２】
0003830744.tif 000003
【図３】
0003830744.tif 000004
【図４】
0003830744.tif 000005
【図５】
0003830744.tif 000006
【図６】
0003830744.tif 000007
【図７】
0003830744.tif 000008
【図８】
0003830744.tif 000009
【図９】
0003830744.tif 000010
【図１０】
0003830744.tif 000011
【図１１】
0003830744.tif 000012
【図１２】
0003830744.tif 000013